(57)【要約】      （修正有）【課題】段階的に躾を行うことができると共に、直管により流水の圧力を変更できる猫用水洗便器及び躾方法の提供。【解決手段】水道直結型水洗ユニット２と、猫用便座３とから構成される猫用水洗便器であって、水道直結型水洗ユニット２は、ユニット本体に切替弁４を設けてなる３方連結管の中央に水道管を直結し、一方に自動時流水管７を、他方に手動時流水管８を設け、自動時流水管７を制御する制御部９を設け、連結管１０に手動時流水管８と連結し、連通する吐水管１１を設けてあり、猫用便座３は、便座本体の上面に排便穴３ａ３１を設け、その下部周囲に排水ユニット３ａ３を形成し、上記吐水管１１の先端を連結すると共に、排便穴３ａ３１に着脱自在な躾用受ザル１２を設けてなることを特徴とする猫用水洗便器。【選択図】図１
2019201620.tif 000002
【特許請求の範囲】
【請求項１】
水道直結型水洗ユニットと、猫用便座とから構成される猫用便器であって、水道直結型水洗ユニットは、ユニット本体に切替弁を設けてなる３方連結管の中央に水道管を直結し、一方に自動時流水管を、他方に手動時流水管を設け、自動時流水管を制御する制御部を設けると共に連結管にて手動時流水管と連結し、連通する吐水管を設けてあり、猫用便座は、便座本体の上面に排便穴を設け、その下部周囲に排水ユニットを形成し、吐水管の先端を連結すると共に、排便穴に着脱自在な躾用受ザルを設けてなることを特徴とする猫用水洗便器
【請求項２】
前記制御部は、センサーと自動切換弁とからなることを特徴とする請求項１記載の猫用水洗便器
【請求項３】
前記躾用受ザルは、排水孔を徐々に大きくなることを特徴とする請求項１又は２記載の猫用水洗便器
【請求項４】
前記躾用受ザルに、粒状トイレットペーパーと猫砂を混合したものを入れ、徐々に少なくして、躾用受ザル内で猫が排便・排尿し、最終的には躾用受ザルを取り外し、直接排便・排尿することを特徴とする躾方法
【発明の詳細な説明】
【技術分野】
【０００１】  本発明は、主に家庭内で飼育する猫用の水洗便器及びこの便器を使用しての躾方法に関するものである。
【背景技術】
【０００２】  従来の技術としては、犬・猫が入って排便するための傾斜した便受け面と、該便受け面の傾斜の下端に設けた排水口とを有する便器と、該便器の前端に直立した貯水タンクとの組み合わせからあり、該貯水タンクの内部に、自動給水弁を設けるとともに、上端に排水弁を備えている排水元菅を底部から垂下して設け、該排水元管の下部から上記便器の縁の内部を通って上記便受面の傾斜の上端部に開口する洗浄水路を形成し、上記排水弁に、上記排水タンクの上端を塞ぐタンク蓋を貫通して外部から開閉操作する手動開弁ワイヤーを連結したことを特徴とする、犬・猫用の手動水洗便器がある。（特許文献１参照）【０００３】  また、別の従来技術として、犬・猫が入って排便する傾斜した便受け面と、この便受け面の傾斜の下端に設けた排水口とを持つ便器と、この便器の前端に直立した貯水タンクとの組み合わせからなり、貯水タンクから便器の縁の内部を通って便受け面の傾斜の上端に開口する洗浄水路を形成し、貯水タンクには正面に犬・猫が便器に入ったのと出たのを検知するセンサーを設け、さらに貯水タンクの内部に所定の推移まで給水する自動給水弁と、犬・猫が所定時間以上便器上にいて退去した後に排水モーターを駆動して開弁する排水弁を組み込んだ、犬・猫用の自動水洗便器がある。（特許文献２参照）
【先端技術文献】
【特許文献】
【０００４】
【特許文献１】特開第０７−２４１１４６号公報
【特許文献２】特開第０６−３３５３３５号公報
【発明の概要】
【発明が解決しようとする議題】
【０００５】  前記前者においては、排水穴を設けた猫用便板を設置しているが、具体的な躾方法等は記載されていない。また、躾用受ザルも設けていない。かつ、貯水タンク式であり、本発明のような直管で手動と自動で流水させることができない。
【０００６】  前記後者においても、猫用便板はあり、センサー等も有しているが、躾用受ザルがないため、具体的な躾ができない。また、貯水タンク式であり、本発明のような直管式ではないため、流水力が弱い
【０００７】  本発明は、このような従来の構成が有する問題を解決するもので、切替弁により手動・自動で流水することができ、特に躾時においては手動で行うことができ、躾用受ザルにより、段階的に躾を行うことができると共に、直管により流水の圧力を変更できる猫用水洗便器及び躾方法を実現することを目的とする。
【課題を解決するための手段】
【０００８】  本発明は、上記目的を達成するために、猫用水洗便器は、水道直結型水洗ユニットと、猫用便座とから構成される猫用便器であって、水道直結型水洗ユニットは、ユニット本体に切替弁を設けてなる３方連結管の中央に水道管を直結し、一方に自動時流水管を、他方に手動時流水管を設け、自動時流水管を制御する制御部を設け、連結管に手動時流水管と連結し、連通する吐水管を設けてあり、猫用便座は、便座本体の上面に排便穴を設け、その下部周囲に排水ユニットを形成し、上記吐水管の先端を連結すると共に、排便穴に着脱自在な躾用受ザルを設けてなる。
前記制御部は、センサーと自動切換弁とからなる。
前記躾用受ザルは、排水孔を徐々に大きくなる。
前記躾用受ザルに、粒状トイレットペーパーと猫砂を混合したものを入れ、徐々に少なくして、躾用受ザル内で猫が排便・排尿し、最終的には躾用受ザルを取り外し、直接排便・排尿する躾方法。
【発明の効果】
【０００９】１）、水道直結型水洗ユニットと猫用便座とから構成することにより、流水の圧力（流水量）を必要に応じて変更することができ、かつ、躾時には切替弁（手動）にて流水させ、猫自身が自分でできるようになれば自動に切替ることができる。
２）、猫用受ザルを設けることにより、段階的に排便（排尿）の躾ができる。
３）、自分で出来るようになれば、猫用受ザルは必要なく効率が大幅にアップする。
【図面の簡単な説明】
【００１０】
【図１】本発明の１実施例を示す猫用水洗便器の斜視図
【図２】本発明の躾方法を示す流れ
【図３】本発明の１実施例を示す猫用水洗便器の躾用受ザルの形状変更図
【発明を実施するための形態】
【００１１】  まず、猫用水洗便器１について説明する。
基本的に水道直結型ユニット２と猫用便座３にて構成され、一体でも別体でもよい。
水道直結型水洗ユニット２は、円筒状のユニット本体２ａの上部に、手動・自動を切替えるための切替弁４を設けた３方連結管５の中央に水道管６を直結し、一方５ａに自動時流水管７を、他方５ｂに手動時流水管８を設け、自動時流水管７を制御するセンサー９ａと自動切換弁９ｂとからなる制御部９を設け、連結管１０にて手動時流水管８と連結し、連通する吐水管１１を設けてある。
猫用便座３は、円筒状の便座本体３ａの上面板（滑らない材質のもの）３ａ１に排便穴３ａ２を設け、排便穴３ａ２に着脱自在な排水孔１２ａを形成した躾用受ザル１２を設けてある。
その下部周囲に排便孔３ａ３１を設けた排水ユニット３ａ３を設ける。なお、躾用受ザル１２の排水孔１２ａは猫の躾時の排便（排尿）の段階において大きくする（切欠部１２ａ１を設ける）ことも一考である。
また、排水ユニット３ａ３には吐水管１１の先端１１ａを取り付けてなる。
なお、排水においては、トラップ装置３ａ３２を設け、各取付場所に対応できるものとする。（図１）
【００１２】  つぎに、猫用排水便器１を使用した躾方法について説明する。
１）、猫用水洗便器１を使用する前に猫を慣らすために、現在使用している猫砂が入っているトイレを猫用水洗便器１に徐々に近づけて排便（排尿）させる。（図示せず）
２）、現在使用しているトイレＴＲの中に粒状トイレットペーパーＴを入れる（水洗できる猫砂Ｓも入れる）。入れる量は段階的多くし、慣れさせる。
３）、猫用水洗便器１にトイレＴＲを隣接した時点で躾用受ザル１２の中に、トイレＴＲの中身を入れる。この時、猫Ｎに入れる所を見せることがポイントとなる。
４）、その後、トイレＴＲを除去し、躾用受ザル１２の中で排便（排尿）Ｈをさせるようにする。
５）、これが出来るようになれば、排便（排尿）Ｈ後、その都度、猫Ｎに躾用受ザル１２を取り上げ、排便穴３ａ２に中身を捨てるのを見せる。
つづいて、切替弁４にて手動にし、吐水管１１より排水ユニット３ａ３内に水を流し入れて、排便孔３ａ３１より排出させる。
６）、つづいて、躾用受ザル１２の中身（粒状トイレットペーパーＴと猫砂Ｓ）を徐々に減して行く（この時、排水孔１２ａをカットし、切替部１２ａ１を徐々に大きくしたものを使用する）。最終的には、中身のない（枠のみ）躾用受ザル３にのみとする。（図３）
７）、その後、躾用受ザル１２を取り外し、直接排便穴３ａ２に排便（排尿）Ｈさせた後、同様に手動にて水を流す様子を猫Ｎに見せる。
８）、ここまでくれば、自然に直接排便穴３ａ２に排便（排尿）Ｈできるようになり、切替弁４を自動に切り替えることにより、制御部９のセンサー９ａにて猫Ｎの移動を感知し、自動的に流水させ排水することができる。
上記のような手順で猫の排便（排尿）の躾を行うことができる。
【００１３】  なお、上記猫用水洗便器１の実施例において、水道直結型水洗ユニット２と猫用便座３の形状・材質・大きさ等は必要に応じて決めればよく、一体でも別体でもよい。
また、躾方法においても、猫の能力により時間の掛け方が異なる場合があり、学習能力の劣る猫の場合は、時間を掛け、段階を進ませるものである。
また、猫用水洗便器１の取付場所は流し台の中・室内・室外・ベランダ等色々考えられ、特に限定しない。
さらに、設置等の配管施工等も特に限定しない。
【符号の説明】
【００１４】１  猫用水洗便器
２  水道直結型水洗ユニット
３  猫用便座
４  切替弁
５  ３方連結管
６  水道管
７  自動時流水管
８  手動時流水管
９  制御部
１０  連結管
１１  吐水管
１２  躾用受ザル
【図１】
2019201620.tif 000003
【図２】
2019201620.tif 000004
【図３】
2019201620.tif 000005